(57)【要約】【課題】太陽電池に用いられる薄膜シリコンを成膜するためのプラズマＣＶＤ装置から排出される排ガスを処理する装置を小型化する技術を提供する。【解決手段】半導体製造装置２０から排出された混合ガスをポンプ１２を用いてフィルタ部３０に送出し、フィルタ部３０で高次シランを除去した後、深冷分離を利用した分離部４０を用いて混合ガスを水素とモノシランとに分離する。分離されたモノシランは、シランガス除害部５０により除害される。また、分離された水素は、水素ガス排気部６０により大気に放出される。【選択図】図１
2012106146.tif 000002
【特許請求の範囲】
【請求項１】
半導体製造装置から排出される混合ガスを処理する排ガス処理装置であって、
前記混合ガスを通過させ、前記混合ガスに含まれている複数種のガスのうち除害の必要な第１のガスと、除害の必要のない第２のガスとを深冷分離により分離する分離部と、
前記分離部によって分離された第１のガスを処理する第１のガス処理部と、
前記分離部によって分離された第２のガスを処理する第２のガス処理部と、
を備えることを特徴とする排ガス処理装置。
【請求項２】
前記第１のガス処理部は、前記第１のガスを除害する請求項１に記載の排ガス処理装置。
【請求項３】
前記第１のガス処理部は、前記第１のガスを精製する請求項１に記載の排ガス処理装置。
【請求項４】
前記分離部は、前記第１のガスとしてモノシランを分離する請求項１乃至３のいずれかに記載の排ガス処理装置。
【請求項５】
前記第２のガス処理部は、前記第２のガスとして水素を希釈して外部へ排出することを特徴とする請求項１乃至４のいずれかに記載の排ガス処理装置。
【請求項６】
前記第２のガス処理部は、前記第２のガスとして水素を精製することを特徴とする請求項１乃至４のいずれかに記載の排ガス処理装置。
【請求項７】
半導体製造装置から排出される混合ガスを処理する排ガス処理方法であって、
前記混合ガスに含まれている複数種のガスのうち除害の必要な第１のガスと、除害の必要のない第２のガスとを深冷分離する分離工程と、
前記混合ガスから分離された前記第１のガスを除害する除害工程と、
前記混合ガスから分離された前記第２のガスを外部に排出する排出工程と、
を備えることを特徴とする排ガス処理方法。
【発明の詳細な説明】
【技術分野】
【０００１】
本発明は、半導体製造装置から排出される水素およびシランガスを含有する排ガスを処理する装置および方法に関する。
【背景技術】
【０００２】
従来、半導体製造用ガス、特に薄膜製造用ガスとして有用なジシランをモノシランから製造する方法が開発されている。例えば、放電法によりモノシランからジシランを製造する際に、反応ガスを吸着剤を充填した吸着塔に送り、ジシランを吸着分離した後、未反応モノシランを反応器に循環させる方法が知られている（特許文献１）。
【先行技術文献】
【特許文献】
【０００３】
【特許文献１】特開昭６１−１８６２１２号公報
【発明の概要】
【発明が解決しようとする課題】
【０００４】
ところで、半導体製造装置、例えば、太陽電池に用いられる薄膜シリコンを成膜するためのプラズマＣＶＤ装置から排出される排ガスには、除害の必要がある少量のモノシラン、除害が不要な大量の水素が混在している場合がある。このように少量のモノシランに対して大量の水素を含んでいる混合ガスを除害装置を用いて処理しようとすると、モノシランの除害に必要な設備、ひいては排ガス処理装置の大規模化を招くおそれがある。また、モノシランを燃焼により除害する場合には、燃焼用のＬＰＧガスの消費量が多くなり、システム全体のエネルギー効率が低下するおそれもある。
【０００５】
本発明はこうした課題に鑑みてなされたものであり、その目的は、半導体製造装置から排出される排ガスを処理する装置や工程を簡略化する技術の提供にある。
【課題を解決するための手段】
【０００６】
本発明のある態様は、排ガス処理装置である。当該排ガス処理装置は、半導体製造装置から排出される混合ガスを処理する排ガス処理装置であって、前記混合ガスを通過させ、前記混合ガスに含まれている複数種のガスのうち除害の必要な第１のガスと、除害の必要のない第２のガスとを深冷分離により分離する分離部と、前記分離部によって分離された第１のガスを処理する第１のガス処理部と、前記分離部によって分離された第２のガスを処理する第２のガス処理部と、を備えることを特徴とする。
【０００７】
この態様によれば、半導体製造装置から排出される、除害が必要な第１のガスと、除害の必要のない第２のガスを含む混合ガスを深冷分離により分離し、第１のガスと第２のガスとをそれぞれ処理することにより、処理設備の規模を小さくでき、ひいては排ガス処理装置をコンパクトにすることができる。
【０００８】
上記態様の排ガス処理装置において、前記第１のガス処理部は、前記第１のガスを除害してもよい。また、水前記第１のガス処理部は、前記第１のガスを精製してもよい。また、分離部は、前記第１のガスとしてモノシランを分離してもよい。また、前記第２のガス処理部は、前記第２のガスとして水素を希釈して外部へ排出してもよい。また、第２のガス処理部は、前記第２のガスとして水素を精製してもよい。
【０００９】
本発明の他の態様は、排ガス処理方法である。当該排ガス処理方法は、半導体製造装置から排出される混合ガスを処理する排ガス処理方法であって、前記混合ガスに含まれている複数種のガスのうち除害の必要な第１のガスと、除害の必要のない第２のガスとを深冷分離する分離工程と、前記混合ガスから分離された前記第１のガスを除害する除害工程と、  前記混合ガスから分離された前記第２のガスを外部に排出する排出工程と、を備えることを特徴とする。
【発明の効果】
【００１０】
本発明によれば、半導体製造装置から排出される排ガスを処理する装置や工程を簡略化することができる。
【図面の簡単な説明】
【００１１】
【図１】実施の形態１に係る排ガス処理装置の概略を示す系統図である。
【図２】分離部の具体的な構成を示す概略図である。
【図３】深冷分離装置を用いて、モノシランおよび水素を含有する混合ガスを深冷分離したときの、水素中のモノシラン濃度（ｐｐｍ）を示すグラフである。
【図４】実施の形態２に係る排ガス処理装置の概略を示す系統図である。
【発明を実施するための形態】
【００１２】
以下、本発明の実施の形態を図面を参照して説明する。なお、すべての図面において、同様な構成要素には同様の符号を付し、適宜説明を省略する。以下では、除害の必要なガスとしてモノシラン、除害の必要のないガスとして水素を含む混合ガスに適した排ガス処理装置について説明するが、混合ガスの種類はこれに限られるものではない。例えば、除害の必要なガスとしてＰＦＣ（perfluorocarbon），ＣＨＦ３，ＳＦ６，ＮＦ３などを含む混合ガスや、除害の必要のないガスとして窒素を含む混合ガスに対しても、吸着剤や処理条件を適宜選択することで本願の排ガス処理装置を適用できることはいうまでもない。なお、ＰＦＣとして代表的なものとしてはＣＦ４，Ｃ２Ｆ６，Ｃ３Ｆ８，Ｃ４Ｆ８が挙げられる。
【００１３】
（実施の形態１）
図１は、実施の形態１に係る排ガス処理装置の概略を示す系統図である。
【００１４】
半導体製造装置２０は、太陽電池に用いられる薄膜シリコンを成膜するためのプラズマＣＶＤ装置である。半導体製造装置２０によって製造される太陽電池は、より具体的には、少なくともアモルファスシリコン（ａ−Ｓｉ：Ｈ）と微結晶シリコン（μｃ−Ｓｉ：Ｈ）とポリシリコン（ｐｏｌｙ−Ｓｉ）などの珪素を含む化合物の組み合わせで構成される。
【００１５】
半導体製造装置２０から排出される混合ガス（排ガス）は、除害が必要なモノシラン、除害が不要な水素および微量不純物を含む。微量不純物として、ジシラン、トリシランなどのＳｉを複数含む高次シラン、ＰＨ３、Ｂ２Ｈ６（それぞれ０．０１〜１％）、窒素（５％以下）が挙げられる。本実施の形態では、水素とモノシランの比（水素／モノシラン）は、２〜１００である。
【００１６】
排ガス処理装置１０は、半導体製造装置２０から排出された混合ガスを処理する。排ガス処理装置１０は、ポンプ１２、フィルタ部３０、分離部４０、シランガス除害部５０、および水素ガス排気部６０を備える。
【００１７】
ポンプ１２は、半導体製造装置２０から排出された混合ガスを吸引し、窒素とともにフィルタ部３０に送出する。ポンプ１２にて添加される窒素は５％以下である。
【００１８】
フィルタ部３０は、高次シランを選択的に除去する微粒子捕捉フィルタである。半導体製造装置２０から排出された混合ガスはフィルタ部３０を通過する。これにより、混合ガスから高次シランが除去される。
【００１９】
分離部４０は、混合ガスを低温に冷却して液化させ、混合ガスに含まれるモノシランおよび水素のそれぞれが凝縮する際の温度の違いを利用して蒸留あるいは部分凝縮によってモノシランと水素とを深冷分離する。
【００２０】
図２は、分離部４０の具体的な構成を示す概略図である。図２に示すように、分離部４０は、熱交換部４２、４４および深冷分離装置４６を有する。
【００２１】
分離部４０に導入された混合ガスは、まず熱交換部４２に供給される。熱交換部４２において、混合ガスは液化天然ガスなどの熱媒体と熱交換することにより−１００℃〜−１３０℃に冷却される。一方、熱媒体は、混合ガスと熱交換することにより加温される。加温された熱媒体は、半導体製造装置を含む製造設備で利用される。
【００２２】
次に、熱交換部４２により冷却された混合ガスは、熱交換部４４に供給される。熱交換部４４において、混合ガスは後述する深冷分離装置４６で分離されたモノシラン（温度−１６０℃）と熱交換することにより、−１３０℃〜−１６０℃にさらに冷却される。
【００２３】
熱交換部４４を通過し、さらに冷却された混合ガスは、深冷分離装置４６に供給される。深冷分離装置４６では、導入された混合ガスが液体窒素、液化天然ガスなどの冷熱源により冷却され、圧縮機等を用いて圧縮される（温度−５０〜−２００℃、圧力０．５〜３０気圧）。混合ガスのうち、モノシランは全量が凝縮される。一方、水素は凝縮せずに分離ガスとして取り出される。液化したモノシランは、気化器に導入され、吸熱、またはスチームなどの熱媒体による加熱により気化される。深冷分離装置４６により分離され、冷却されたモノシランは熱交換部４４に供給され、混合ガスを冷却する冷熱媒体として用いられる。これにより、分離部４０の熱効率を高めることができる。
【００２４】
図３は、深冷分離装置４６を用いて、モノシランおよび水素を含有する混合ガスを深冷分離したときの、水素中のモノシラン濃度（ｐｐｍ）を示すグラフである。以下に示す各実験例について、冷却温度を７０Ｋ（−２００℃）〜１２０Ｋ（−１５０℃）まで条件を振って分離された水素について、フーリエ変換赤外分光光度計（ＦＴ−ＩＲ）を用いて分析した。
【００２５】
（実験例１）
混合ガス：水素９９モル％、モノシラン１モル％
圧力：１気圧
（実験例２）
混合ガス：水素９９モル％、モノシラン１モル％
圧力：２気圧
（実験例３）
混合ガス：水素９８モル％、モノシラン２モル％
圧力：１気圧
（実験例４）
混合ガス：水素９９モル％、モノシラン１モル％
圧力：１０気圧
図３に示すように、各条件において深冷分離により分離された水素に含まれるモノシランの濃度は多くても２００００ｐｐｍ程度であり、高純度の水素が得られることが確認された。水素の純度は、冷却温度が低いほど良く、また圧力を下げるほど良いことがわかる。
【００２６】
シランガス除害部５０には、除害化に先立ち必要に応じてモノシランガスを希釈するための窒素を導入する導入管が設けられている。シランガス除害部５０は、分離部４０によって分離され、窒素で希釈されたモノシラン（モノシラン２％以下、窒素９８％以上）を除害する。シランガス除害部５０によるモノシランの除外の方式としては、燃焼による除害（燃焼除害）、吸着剤による除害（乾式除害）などが挙げられる。燃焼除害の場合には、除害装置内でＬＰＧガスなどの可燃ガスをバーナーで燃焼させ、モノシランが燃焼処理される。燃焼ガスは、フィルタにより粉塵等が除去された後、排気される。乾式除害の場合には、たとえば、酸化銅を主成分とする処理剤を用いることによりモノシランが除害される。
【００２７】
水素ガス排気部６０には、外部への排出に先立ち必要に応じて水素ガスを希釈するための窒素を導入する導入管が設けられている。水素ガス排気部６０は、分離部４０によって分離され、窒素で希釈された水素（水素４％以下、窒素９６％以上）を外部（大気）に放出する。
【００２８】
以上説明した排ガス処理装置１０によれば、微粒子（高次シラン）を取り除いた後の混合ガス（モノシランおよび水素を含有）を深冷分離を用いて分離することにより、除害の必要なモノシランと除害の不必要な水素とが分離される。水素は窒素希釈後、大気に放出される。また、モノシランは窒素希釈後、モノシラン除害部にて除害される。モノシランのみをモノシラン除害部で処理することにより、除害設備の規模を小さくでき、ひいては排ガス処理装置をコンパクトにすることができる。また、モノシランを燃焼により除害する場合、燃料用のＬＰＧガスの消費量を少なくすることができる。
【００２９】
（実施の形態２）
図４は、実施の形態２に係る排ガス処理装置の概略を示す系統図である。実施の形態２に係る排ガス処理装置は、以下の点で実施の形態１と共通する。すなわち、半導体製造装置２０から排出された混合ガスをポンプ１２を用いてフィルタ部３０に送出し、フィルタ部３０で高次シランを除去した後、分離部４０を用いて混合ガスを水素とモノシランとに分離する。
【００３０】
本実施の形態では、シランガス精製部７０および水素ガス精製部８０を備える点で、実施の形態１と相違する。
【００３１】
シランガス精製部７０は、吸着剤を用いて分離部４０により分離されたモノシランを精製する。吸着剤としては、ゼオライトが挙げられる。シランガス精製部７０により精製されたモノシランは、原料として再利用が可能である。
【００３２】
水素ガス精製部８０は、吸着剤を用いて分離部４０により分離された水素を精製する。吸着剤としては、酸化銅が挙げられる。水素ガス精製部８０により精製された水素は、原料として再利用が可能である。
【００３３】
水素を再利用する場合、精製された水素の純度により下記のように用途を分けることができる。
【００３４】
純度９９．９９％以上の場合・・・水素ステーション、燃料電池用の燃料ガス、精製水素
純度９９．９９９％以上の場合・・・成膜原料
本実施の形態によれば、排ガス処理装置をコンパクトに保ちつつ、排ガスに含まれるモノシランおよび水素を再利用することができる。
【００３５】
本発明は、上述の各実施の形態に限定されるものではなく、当業者の知識に基づいて各種の設計変更等の変形を加えることも可能であり、そのような変形が加えられた実施の形態も本発明の範囲に含まれうるものである。
【００３６】
たとえば、実施の形態１に係る排ガス処理装置と実施の形態２に係る排ガス処理装置とを組み合わせ、モノシランおよび水素のいずれか一方を精製する構成としてもよい。
【００３７】
また、分離されたモノシランおよび水素の少なくとも一方を、弁切り換えなどにより、必要に応じて精製できるような構成としてもよい。
【符号の説明】
【００３８】
１０  排ガス処理装置、１２  ポンプ、２０  半導体製造装置、３０  フィルタ部、４０  分離部、５０  シランガス除害部、６０  水素ガス排気部、７０  シランガス精製部、８０  水素ガス精製部
【図１】
2012106146.tif 000003
【図２】
2012106146.tif 000004
【図４】
2012106146.tif 000005
【図３】
2012106146.tif 000006